(57)【要約】　　　（修正有）【課題】空間の占用を減らして設置に有利とし、自動車或いは屋内の密閉空間での使用に適合させる。【解決手段】　内部に光触媒清浄機を具えたティッシュボックスを指し、ティッシュペーパーを収容するほか、特殊な光触媒により汚れ除去、殺菌、除臭、及び除塵の機能を具備し、自動車内部或いは居住環境の密閉空間に対して、空気の浄化と病原菌の退治を行ない、実用的で有限な空間内にあって場所をとらない長所を有している。【選択図】　　　　図7
0003099279.tif 000002
【実用新案登録請求の範囲】
【請求項１】
　ティッシュボックス型光触媒清浄機において、引き出し口を具えたティッシュボックスを具え、該ティッシュボックスが区画板で前後の二つの収容空間に分割され、該引き出し口を具えた収容空間がティッシュの収容に供され、もう一つの収容空間の内部の一側の開放面に光触媒清浄機が固定され、もう一側面に入風孔が設けられ、後部に自動車のシガレットライタソケット或いは電源調整器との連接に供される電源線プラグが設けられたことを特徴とする、ティッシュボックス型光触媒清浄機。
【請求項２】
　請求項１記載のティッシュボックス型光触媒清浄機において、区画板がティッシュボックスを上下に分割し、ティッシュを収容する収容空間が上に、光触媒清浄機を取り付ける収容空間が下に配置されたことを特徴とする、ティッシュボックス型光触媒清浄機。
【考案の詳細な説明】
【技術分野】
【０００１】
　本考案はティッシュボックス型光触媒清浄機に係り、特に、内部に光触媒清浄機を具えたティッシュボックスを指し、ティッシュペーパーを収容するほか、特殊な光触媒により汚れ除去、殺菌、除臭、及び除塵の機能を具備し、自動車内部或いは居住環境の密閉空間に対して、空気の浄化と病原菌の退治を行ない、実用的で有限な空間内にあって場所をとらない長所を有するティッシュボックス型光触媒清浄機に関する。
【背景技術】
【０００２】
　車或いは居住空間内で使用される周知の空気清浄設備のほとんどは独立した機体を具え、この独立した空気清浄設備は環境の空気に対する除塵と除臭の機能を有するが、汚れ防止と殺菌の作用と機能を具備しない。さらに、この独立式空気清浄設備を自動車内部に設置しようとしても、車内空間に制限されるため設置が難しく、ほとんどが自動車のシガレットライタソケットに挿入されて使用され、空気に対する清浄効果が良好でないという欠点を有している。伝染病、例えばＳＡＲＳの伝染が厳重となった状況で、自動車内部の密閉された空間或いは居住環境の密閉された空間（浴室、トイレ等）に対して、このような周知の空気清浄設備は有効な殺菌と汚れ除去の作用を具備せず、このため疾病を退治するのに役立たない。
【考案の開示】
【考案が解決しようとする課題】
【０００３】
　本考案の主要な目的は、光触媒清浄機をティッシュボックスの空間中に設置し、ティッシュボックスの設置位置を利用し、空間の占用を減らして設置に有利とし、自動車或いは屋内の密閉空間での使用に適合させることにある。
【０００４】
　本考案の次の目的は、光触媒の作用を利用し、並びにフィルタ構造の設計を組み合わせ、除塵、除臭の作用のほか、殺菌、汚れ除去の機能を具備させ、密閉空間の空気の浄化と消毒作用を具備させて、伝染病の退治に役立つものとすることにある。
【課題を解決するための手段】
【０００５】
　請求項１の考案は、ティッシュボックス型光触媒清浄機において、引き出し口を具えたティッシュボックスを具え、該ティッシュボックスが区画板で前後の二つの収容空間に分割され、該引き出し口を具えた収容空間がティッシュの収容に供され、もう一つの収容空間の内部の一側の開放面に光触媒清浄機が固定され、もう一側面に入風孔が設けられ、後部に自動車のシガレットライタソケット或いは電源調整器との連接に供される電源線プラグが設けられたことを特徴とする、ティッシュボックス型光触媒清浄機としている。
　請求項２の考案は、請求項１記載のティッシュボックス型光触媒清浄機において、区画板がティッシュボックスを上下に分割し、ティッシュを収容する収容空間が上に、光触媒清浄機を取り付ける収容空間が下に配置されたことを特徴とする、ティッシュボックス型光触媒清浄機としている。
【考案の効果】
【０００６】
　本考案のティッシュボックス型光触媒清浄機は、内部に光触媒清浄機を具えたティッシュボックスを指し、ティッシュペーパーを収容するほか、特殊な光触媒により汚れ除去、殺菌、除臭、及び除塵の機能を具備し、自動車内部或いは居住環境の密閉空間に対して、空気の浄化と病原菌の退治を行ない、実用的で有限な空間内にあって場所をとらない長所を有する。
【考案を実施するための最良の形態】
【０００７】
　本考案は引き出し口を具えたティッシュボックスが、区画板で二つの収容空間に分割され、そのうち引き出し口を具えた収容空間にティッシュの収容に供され、もう一つの収容空間の内部の一側に開放面が設けられて、光触媒清浄機が固定され、もう一つの側面に入風孔が設置され、後部に設けられた電源線のプラグにより自動車のシガレットライタソケット或いは電源調整器に連接され、これにより自動車電源或いは家庭用の電源を取得して光触媒清浄機のファン、紫外線ランプの運転に供する。
【実施例１】
【０００８】
　図１から６を参照されたい。図示されるように、本考案の光触媒清浄機１０は金属材質のケース１１を具え、該ケース１１の後部に金属材質の後ろ板１３が設けられ、該後ろ板１３に通風孔１４が設けられ、並びに後部にファン２０が組み付けられ、該後ろ板１３の前部に金属材質のランプホルダ１５が組み付けられ、ランプホルダ１５に二つの紫外線ランプ３０が設けられている。
【０００９】
　別に、金属材質の内フレーム４０が設けられてフィルタ構造５０が套設され（図２）、並びに全体がランプホルダ１５及び紫外線ランプ３０の外部周囲に套設され（図４）、該内フレーム４０の作用は紫外線ランプ３０とフィルタ構造５０の接触を防止することにある。
【００１０】
　前述のフィルタ構造５０は外層の活性炭層５１と、二層のガラス繊維層５３の中間にプラスチックネット層５２が被覆された構造とを具え（図３）、そのうち二層のガラス繊維層５３とプラスチックネット層５２は材料の外部がいずれも一層の光触媒（即ち二酸化チタン）で被覆されている。
【００１１】
　図５を参照されたい。図５は図４と上蓋の組合せ表示図である。図示されるように、前述のケース１１には上蓋１２が組み合わされ、該上蓋１２の前部内面に別のフィルタ構造５０’が設けられ、ケース１１と上蓋１２の組合せ固定により二つのフィルタ構造５０、５０’が紫外線ランプ３０を包囲し、並びに図６に示される外観の光触媒清浄機１０が構成される。
【００１２】
　図７を参照されたい。図７は本考案の全体組成の表示図である。図示されるように、引き出し口６２を具えたティッシュボックス６０が、区画板６３で前後の二つの収容空間に分けられ、そのうち、引き出し口６２を具えた収容空間がティッシュの収容に供され、もう一つの収容空間の内部の一側の開放面に、光触媒清浄機１０が固定設置され、もう一側面に入風孔６１が設けられ、後部に電源線１７プラグが設けられて、自動車のシガレットライタソケット或いは電源調整器に接続され、これにより自動車電源或いは住居の電源を取得して光触媒清浄機１０のファン２０、紫外線ランプ３０の運転に供する。自動車で本考案を使用する置き、抽風、排風、光触媒と紫外線の作用により、殺菌、除塵、除臭、汚れ防止、及び空気浄化の機能を達成して車内の空気を浄化する。且つティッシュボックスの区画された空間を利用して設置される。住居に使用される時も、室内の殺菌、除塵、除臭、汚れ防止と空気清浄の機能を提供できる。
【００１３】
　さらに、前述のティッシュボックスの空間の区画は、区画板６３’により上下に区画するものとされ得て、ティッシュを収容する空間が上に、光触媒清浄機１０を取り付ける空間が下とされた空間形態も可能である（図８）。これもまた車内或いは居住空間内で使用でき、実用性と場所を取らない長所を有している。
【００１４】
　以上述べたように、本考案は実用性と利用の価値を具備し、且つＳＡＲＳが厳重となった状況にあって、車内或いは屋内空間の空気伝染の疾病退治に役立つ。
【図面の簡単な説明】
【００１５】
【図１】本考案の局部構造表示図である。
【図２】本考案のフィルタ構造表示図である。
【図３】本考案のフィルタ構造断面表示図である。
【図４】本考案のフィルタ構造組合せ表示図である。
【図５】図４と上蓋の組合せ表示図である。
【図６】図５の組成表示図である。
【図７】本考案の全体構造の表示図である。
【図８】本考案の別の実施例表示図である。
【符号の説明】
【００１６】
１０　光触媒清浄機　　　　　１１　ケース
１２　上蓋　　　　　　　　　１３　後ろ板
１４　通風孔　　　　　　　　１５　ランプホルダ
１７　電源線　　　　　　　　２０　ファン
３０　紫外線ランプ　　　　　４０　内フレーム
５０、５０’　フィルタ構造　５１　活性炭層
５２　プラスチックネット層　５３　ガラス繊維層
６０、６０’　ティッシュボックス　　　６１、６１’　入風孔
６２、６２’　引き出し口　　　　　　　６３、６３’　区画板
【図１】
0003099279.tif 000003
【図２】
0003099279.tif 000004
【図３】
0003099279.tif 000005
【図４】
0003099279.tif 000006
【図５】
0003099279.tif 000007
【図６】
0003099279.tif 000008
【図７】
0003099279.tif 000009
【図８】
0003099279.tif 000010